(57)【要約】【課題】使用者の操作の手間を削減し、用紙属性設定と格納用紙の一致性を高めることができる画像形成装置を提供する。【解決手段】印刷ジョブを受信する受信手段と、印刷される用紙を収容する複数のトレイと、用紙に画像を記録する画像形成手段と、トレイに収容された用紙の用紙属性情報を管理する用紙属性管理手段と、用紙属性管理手段により管理される用紙属性情報に基づき、印刷ジョブの印刷に係るトレイとトレイの情報を検知する検知手段とを備え、印刷ジョブが停止しトレイが開閉されたときに、トレイが印刷ジョブが用紙切れで停止したときの該当トレイであった場合は、用紙属性管理手段に対して前記トレイの用紙属性情報の設定もしくは確認を促すための表示を行うことなく用紙属性情報を確定する。【選択図】図４
2014018976.tif 000002
【特許請求の範囲】
【請求項１】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく前記用紙属性情報を確定する、
ことを特徴とする画像形成装置。
【請求項２】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイが、前記印刷ジョブが用紙切れで停止したときの該当トレイであり、かつ前記トレイの用紙属性設定が前記ジョブで使用する用紙の用紙属性情報と一致している場合は、前記用紙属性管理手段に対して前記トレイの用紙属性情報の設定もしくは確認を促すための表示を行うことなく前記用紙属性情報を確定する、
ことを特徴とする画像形成装置。
【請求項３】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記印刷ジョブが前記トレイに起因したエラーを検知して停止していた場合は、前記用紙属性管理手段に対して前記トレイの用紙属性情報の設定もしくは確認を促すための表示を行うことなく用紙属性情報を確定する、
ことを特徴とする画像形成装置。
【請求項４】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイの用紙無しが検知されなかった場合は、前記用紙属性管理手段に対して前記トレイの用紙属性情報の設定もしくは確認を促すための表示を行うことなく前記用紙属性情報を確定する、
ことを特徴とする画像形成装置。
【請求項５】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、使用者の選択により用紙属性設定の確認を促す表示が行われないときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく前記用紙属性情報を確定する、
ことを特徴とする画像形成装置。
【請求項６】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、使用者の選択により用紙属性設定の確認を促す表示が行われないときに、前記トレイの用紙無しが検知されなかった場合は、前記用紙属性管理手段に対して前記トレイの用紙属性情報の設定もしくは確認を促すための表示を行うことなく前記用紙属性情報を確定する、
ことを特徴とする画像形成装置。
【請求項７】
印刷ジョブを受信する受信機能と、
用紙に画像を記録する画像形成機能と、
トレイに収容された前記用紙の用紙属性情報を管理する用紙属性管理機能と、
用紙属性管理手段により管理される前記用紙属性情報に基づき、前記印刷ジョブの印刷に係るトレイと前記トレイの情報を検知する検知機能と、
前記印刷ジョブが停止し前記トレイが開閉されたときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく前記用紙属性情報を確定する機能と、
を実現するためのプログラム。
【発明の詳細な説明】
【技術分野】
【０００１】
本発明は、画像形成装置に関する。
【背景技術】
【０００２】
複写機やプリンタ等の画像形成装置では、一般のコピー向け用紙だけでなく、様々な用紙が用いられる。特に、出版や広告等といった専門業者向けの高級機種では、上質紙や中質紙、コート紙、アート紙等といった多種多様な用紙の使用を前提としている。
そのため、予め画像形成装置に用紙の種類に応じた搬送条件を記憶させておき、使用する用紙の種類に対応した搬送条件をその中から自動的に選択して設定している。
【０００３】
このような画像形成装置として、自端末や外部端末から該当ユーザによる用紙属性の設定を行う場合に、入力元端末の識別情報と、事前に登録されている設定許可端末の識別情報を比較して、入力元端末が設定許可端末である場合には用紙属性の設定を許可し、設定許可端末でない場合には用紙属性の設定を不許可にすることが知られている（特許文献１）。
また、トレイの開前に設定されていた用紙の種類と、トレイの閉後に設定された用紙の種類とが異なるときは、トレイに既に収納されていた用紙と新たに収納した用紙の種類が異なることを表示することも知られている（特許文献２）。
【先行技術文献】
【特許文献】
【０００４】
【特許文献１】特開２００７−０４５１０５号公報
【特許文献２】特開２００９−２８６６０６号公報
【発明の概要】
【発明が解決しようとする課題】
【０００５】
本発明は、使用者の操作の手間を削減し、用紙属性設定と格納用紙の一致性を高めることができる画像形成装置を提供することを目的とする。
【課題を解決するための手段】
【０００６】
前記課題を解決するために、請求項１記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく用紙属性情報を確定する、
ことを特徴とする。
【０００７】
前記課題を解決するために、請求項２記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイが、前記印刷ジョブが用紙切れで停止したときの該当トレイであり、かつ前記トレイの用紙軸性設定が前記ジョブで使用する用紙の用紙属性情報と一致している場合は、前記用紙属性管理手段に対して前記トレイの用紙属性情報の設定もしくは確認を促すための表示を行うことなく用紙属性情報を確定する、
ことを特徴とする。
【０００８】
前記課題を解決するために、請求項３記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記印刷ジョブが前記トレイに起因したエラーを検知して停止していた場合は、前記用紙属性管理手段に対して前記トレイの用紙属性情報の設定もしくは確認を促すための表示を行うことなく用紙属性情報を確定する、
ことを特徴とする。
【０００９】
前記課題を解決するために、請求項４記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、前記トレイの用紙無しが検知されなかった場合は、前記用紙属性管理手段に対して前記トレイの用紙属性情報の設定もしくは確認を促すための表示を行うことなく用紙属性情報を確定する、
ことを特徴とする。
【００１０】
前記課題を解決するために、請求項５記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、使用者の選択により用紙属性設定の確認を促す表示が行われないときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく用紙属性情報を確定する、
ことを特徴とする。
【００１１】
前記課題を解決するために、請求項６記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
前記印刷ジョブが停止し前記トレイが開閉されたときに、使用者の選択により用紙属性設定の確認を促す表示が行われないときに、前記トレイの用紙無しが検知されなかった場合は、前記用紙属性管理手段に対して前記トレイの用紙属性情報の設定もしくは確認を促すための表示を行うことなく用紙属性情報を確定する、
ことを特徴とする。
【００１２】
前記課題を解決するために、請求項７記載のプログラムは、
印刷ジョブを受信する受信機能と、
用紙に画像を記録する画像形成機能と、
トレイに収容された前記用紙の用紙属性情報を管理する用紙属性管理機能と、
用紙属性管理手段により管理される前記用紙属性情報に基づき、前記印刷ジョブの印刷に係るトレイと前記トレイの情報を検知する検知機能と、
前記印刷ジョブが停止し前記トレイが開閉されたときに、前記トレイが、前記印刷ジョブが用紙切れで停止したときの該当トレイであった場合は、前記用紙属性管理手段に対して前記トレイの用紙属性情報の設定もしくは確認を促すための表示を行うことなく用紙属性情報を確定する機能と、
を実現する
ことを特徴とする。
【発明の効果】
【００１３】
本発明によれば、使用者の操作の手間を削減し、用紙属性設定と格納用紙の一致性を高め、かつ、印刷ジョブにおける停止時間を低減することができる。
【図面の簡単な説明】
【００１４】
【図１】画像形成装置１の概略構成の一例を示す断面模式図である。
【図２】画像形成装置１の機能構成の一例を示すブロック図である。
【図３】画像形成装置１の操作情報部の機能構成の一例を示すブロック図である。
【図４】画像形成装置１が用紙属性情報を確定する手順の一例を示したフローチャートである。
【図５】画像形成装置１Ａが用紙属性情報を確定する手順の一例を示したフローチャートである。
【図６】画像形成装置１Ｂが用紙属性情報を確定する手順の一例を示したフローチャートである。
【図７】画像形成装置１Ｃが用紙属性情報を確定する手順の一例を示したフローチャートである。
【図８】画像形成装置１Ｄが用紙属性情報を確定する手順の一例を示したフローチャートである。
【図９】画像形成装置１Ｅが用紙属性情報を確定する手順の一例を示したフローチャートである。
【図１０】比較例の画像形成装置１００が用紙属性情報を確定する手順の一例を示したフローチャートである。
【発明を実施するための形態】
【００１５】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１６】
「第１実施形態」
（１）画像形成装置の全体構成及び動作
（１．１）画像形成装置の全体構成
図１は本実施形態に係る画像形成装置の概略構成の一例を示す断面模式図である。
画像形成装置１は、画像形成部１０と、画像形成部１０の一端に装着された複数の用紙送り装置２０、３０、４０と、画像形成部１０の他の一端に設けられ、印刷された用紙が排紙される排紙部５０と、操作情報部６０と、を備えて構成されている。
【００１７】
画像形成部１０は、半導体レーザ、光学系、感光ドラム等から成り、例えば第１の用紙送り装置２０から給紙された用紙の一方の面にトナー画像を形成する印刷機構と、印刷機構から出力された用紙上のトナー画像を定着させる定着機構と、を備える。
【００１８】
第１の用紙送り装置２０、第２の用紙送り装置３０、及び第３の用紙送り装置４０は、いずれも、画像形成部１０に対する用紙供給を行う。すなわち、種類（例えば、材質や厚さ、用紙サイズ）の異なる用紙を収容する複数の給紙トレイを備えており、これら複数の給紙トレイのいずれか一つから繰り出した用紙を画像形成部１０に対して供給するように構成されている。
【００１９】
排紙部５０は、画像形成部１０にて画像出力が行われた用紙の排出を行う。そのために、排紙部５０は、画像出力後の用紙が排出される排紙トレイを備えている。なお、排紙部５０は、画像形成部１０から出力される用紙束に対して、裁断やステープル（針綴じ）等の後処理を行う機能を有したものであってもよい。
【００２０】
画像形成部１０、第１の用紙送り装置２０、第２の用紙送り装置３０、第３の用紙送り装置４０及び排紙部５０のそれぞれには、用紙搬送部７０が配設されている。
用紙搬送部７０は、第１の用紙送り装置２０、第２の用紙送り装置３０、第３の用紙送り装置４０から画像形成部１０への間、画像形成部１０内、並びに、画像形成部１０から排紙部５０への間において、用紙の搬送を行う。そのために、用紙搬送部７０は、駆動源によって回動される複数のローラ、経路切替部（不図示）、用紙の搬送を案内するガイド、用紙の通過や到達等を検知するセンサ等（不図示）を備えて構成されている。
【００２１】
画像形成部１０には、用紙属性管理手段の一例としての操作情報部６０が設けられている。
操作情報部６０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２２】
（１．２）画像形成装置の動作
このような構成の画像形成装置１では、画像形成のタイミングに合わせて第１の用紙送り装置２０、第２の用紙送り装置３０、第３の用紙送り装置４０のうち、印刷ジョブで印刷の１枚毎に指定されたトレイから繰り出された用紙が画像形成部１０へ送り込まれる。画像形成部１０へ送り込まれた用紙は、画像形成部１０における像担持体（例えば中間転写体）と転写ローラとの間（転写部ＴＲ；第１図参照）を通過し、トナー像の転写が行われることになる。
トナー像が転写された用紙は、さらに用紙搬送部７０によって搬送され、その後段に配置された定着器を通過する。定着器に搬送された用紙は、一対の定着ローラにより圧着と加熱の作用でトナー像が定着される。
【００２３】
定着の終了した用紙は、用紙搬送部７０によって搬送され、排紙部５０に送り込まれる。尚、用紙の両面に画像出力を行う場合には、用紙搬送部７０により当該用紙の表裏が反転され、再び画像形成部１０における転写部ＴＲへ送り込まれる。そして、トナー像の転写および転写像の定着が行われた後に、排紙部５０に送り込まれることになる。排紙部５０へ送り込まれた用紙は、必要に応じて裁断やステープル（針綴じ）等の後処理を経た後に、排紙トレイ上へ排出される。
【００２４】
（１．３）画像形成装置のブロック構成
図２は本実施形態に係る画像形成装置の機能構成の一例を示すブロック図である。
図例のように、画像形成装置１においては、画像形成部１０、第１の用紙送り装置２０、第２の用紙送り装置３０、第３の用紙送り装置４０の間が通信ケーブル８０で接続されており、それぞれの間で情報授受を行い得るように構成されている。
尚、排紙部５０が裁断やステープル（針綴じ）等の後処理を行う機能を有している場合には、排紙部５０についても同様に通信ケーブル８０で接続することができる。
【００２５】
画像形成部１０は、ＣＰＵ（Central  Processing  Unit）、ＲＡＭ（Random  Access  Memory）、ＲＯＭ（Read  Only  Memory）、ＨＤＤ（Hard  Disc  Drive）等の組み合わせからなるシステム制御部１１を備え、画像形成装置１全体の動作制御を行う。
【００２６】
システム制御部１１が行う動作制御としては、第１の用紙送り装置２０、第２の用紙送り装置３０、第３の用紙送り装置４０との間の情報授受についての制御の他に、以下に述べるようなものが挙げられる。
システム制御部１１は、画像形成部１０が備える画像入力部１２、画像処理部１３、画像記憶部１４、画像出力部１５、後処理装置制御部１６、用紙搬送部７１等に対して、動作制御指示を与える。
又、システム制御部１１は、画像形成部１０が備える電源制御部１７に対して、動作制御指示を与える。すなわち、電源制御部１７が画像形成部１０、第１の用紙送り装置２０、第２の用紙送り装置３０、第３の用紙送り装置４０への給電を行うか否かを決定し、その決定結果を当該電源制御部１７に対して指示する。
更に、システム制御部１１は、画像形成部１０が備える操作情報部６０で入力された処理要求、または、画像形成部１０と通信ネットワーク８１を介して接続するホストコンピュータ８２で入力された処理要求を認識して、その処理要求を受け付けるようになっている。
【００２７】
第１の用紙送り装置２０、第２の用紙送り装置３０、及び第３の用紙送り装置４０は、ＣＰＵ、ＲＡＭ、ＲＯＭ等の組み合わせからなる制御部２１、３１、４１を備え、その制御部２１、３１、４１が、画像形成部１０との間の情報授受を行う。
又、第１の用紙送り装置２０、第２の用紙送り装置３０、及び第３の用紙送り装置４０に設置されている用紙搬送部７２、７３、７４や、それぞれの給紙トレイの動作を制御するトレイ制御部２２、３２、４２等に対して、動作制御指示を与えるようになっている。
【００２８】
図３は本実施形態に係る画像形成装置を構成する操作情報部６０の機能構成の一例を示すブロック図である。
図例のように、操作情報部６０は、所定の処理プログラムに従って、画像形成部１０において実行される画像形成処理に対する各パラメータ値の設定処理を行う制御部６１、使用者からの操作入力を受け付ける操作入力部６２、処理プログラムや用紙属性設定値（後段参照）等が記憶された記憶部６３、使用者に対して各種情報を表示する表示部６４、画像形成部１０との間の情報（各種信号や各種データ）の入出力を管理する入出力部６５を含んで構成されている。
【００２９】
（２）画像形成装置の給紙制御動作・作用
本実施形態で説明する画像形成装置１においては、画像が形成される過程において、トレイからの給紙動作に始まって用紙を所定の搬送路に沿って搬送する用紙搬送、用紙へのトナー像の転写処理、転写されたトナー像の用紙への定着処理等といった各種の動作・処理が実行される。
そして、これらの各種の動作・処理においては、それぞれに用紙の種類（紙種）毎に最適な設定条件が存在する。そのために、極めて高レベルの画像品質を実現しようとすると、使用される用紙の材質や厚さ、サイズ等といった用紙の種類（以下、用紙属性と記す。）に合わせて、用紙搬送系および画像形成プロセス部にて設定される条件をそれぞれ調整する必要がある。
【００３０】
（２．１）用紙属性設定
そのために、画像形成装置１においては、予め用紙の種類に応じた用紙属性設定を記憶させておき、使用する用紙の種類に対応した搬送条件をその中から自動的に選択して設定する。
そして、トレイでの用紙格納操作時に、予め記憶しておいた用紙属性設定を使用者が操作情報部６０から設定するが、トレイへの用紙格納操作と操作情報部６０からの用紙属性設定操作が連動していないために、用紙属性設定の操作が煩雑になる。
また、トレイへの用紙格納操作と操作情報部６０からの用紙属性設定操作のいずれかの操作を失念した場合には、用紙属性設定とトレイへの格納用紙とが一致せず、最適な画像形成がなされないといった問題がある。
【００３１】
これを防止するため、トレイの開閉操作を行うと自動的に用紙属性設定の変更操作を促す表示を行ったり、先に操作情報部６０から用紙属性設定の変更操作を行うと、トレイの開閉操作を行うまでトレイを使用不可状態にして、両者をできる限り一致させることもできる。
【００３２】
本実施形態の画像形成装置１では、トレイを開閉した際、トレイに格納した用紙の用紙属性情報の確認を促す表示を操作情報部６０の表示部６４に対して行い、使用者の確認操作によって、トレイに格納した用紙の用紙属性情報を確定する場合であっても、トレイを開閉した際、ジョブが用紙切れで停止したときの用紙切れの対象トレイであった場合には、操作情報部６０の表示部６４に確認を促す表示を行わずに用紙情報を確定する。
【００３３】
以下、本実施形態に係る画像形成装置１における用紙確定処理を詳細に説明するが、先にトレイを開閉する事で自動的に操作情報部６０の表示部６４に用紙属性設定の確認を促し、使用者の指示があるまではトレイの用紙属性設定を確定させない比較例の処理を説明する。
尚、比較例の画像形成装置１００の全体構成は、本実施形態に係る画像形成装置１と同様である（図１、図２参照）。
【００３４】
（２．２）比較例のトレイの用紙確定方法
【００３５】
図１０は、比較例の画像形成装置１００のシステム制御部１１における用紙属性設定に関する処理を示すフローチャートである。
図１０の処理において、システム制御部１１は、まず、用紙送り装置２０、３０、４０のトレイ１〜６のいずれかでトレイの開閉があったか否かを判断する（Ｓ７０１）。
【００３６】
ここで、トレイ１〜６のいずれも開閉されていない場合（Ｓ７０１；Ｎｏ）は、Ｓ７０１に戻るが、トレイ１〜６のいずれかが開閉されていると判断された場合（Ｓ７０１；Ｙｅｓ）、該当するトレイを使用不可状態に設定して（Ｓ７０２）、操作情報部６０は、制御部６１が表示部６４にて当該トレイへの用紙属性設定を促す表示を、例えばポップアップ画面により行う（Ｓ７０３）。
【００３７】
次に、Ｓ７０３で表示された用紙属性設定画面による用紙属性設定入力があったか否かを判断し（Ｓ７０４）、用紙属性設定入力があった場合（Ｓ７０４；Ｙｅｓ）、用紙属性設定画面で設定された用紙属性を有効にして当該トレイの用紙属性設定を確定する（Ｓ７０５）。
【００３８】
その後、Ｓ７０２で設定された該当トレイの使用不可状態を解除し（Ｓ７０６）、この処理を終了する。
このような構成によると、用紙属性が確定する（有効になる）まで、該当するトレイを使用不可とすることにより、不適切な用紙属性に基いた画像形成の実施を防止することができる。
【００３９】
一方、トレイを開閉する事で自動的に操作情報部６０の表示部６４に用紙属性設定の確認を促すため、使用者の指示があるまではトレイの用紙属性設定が確定せず、使用者が単に用紙の確認のためにトレイを開閉した場合や用紙残量が少ない時に用紙を継ぎ足した場合などであっても都度、操作情報部６０からの確認操作が必要となり手間が掛かるという問題があった。
また、現在のジョブを処理中に、次のジョブで使用する用紙を他のトレイに格納し、そのためにトレイの確認画面が表示されている時に、現在のジョブで使用しているトレイで用紙切れが発生してジョブが停止した場合、用紙切れの解消のために用紙補給をする事で、さらに他のトレイの確認画面が開く事になり、使用者にとって非常にわかりにくく混乱しやすい状態となるという問題もある。
【００４０】
（２．３）本実施形態の画像形成装置の用紙確定方法
図４は、本実施形態に係る画像形成装置１において、トレイを開閉した際、当該トレイが、ジョブが用紙切れで停止したときの用紙切れの対象トレイであった場合に、用紙属性情報を確定する手順の一例を示したフローチャートである。
【００４１】
システム制御部１１は、まず、用紙送り装置２０、３０、４０のトレイ１〜６のいずれかでトレイの開閉があったか否かを判断する（Ｓ１０１）。
【００４２】
ここで、トレイ１〜６のいずれも開閉されていない場合（Ｓ１０１；Ｎｏ）は、Ｓ１０１に戻るが、トレイ１〜６のいずれかが開閉されていたと判断された場合（Ｓ１０１；Ｙｅｓ）、トレイを開閉した際、ジョブが用紙切れで停止したときの用紙切れの対象トレイであったか否かを判断する（Ｓ１０２）。
【００４３】
その結果、当該トレイが、トレイを開閉した際、ジョブが用紙切れで停止したときの用紙切れの対象トレイであった場合（Ｓ１０２；Ｙｅｓ）、用紙属性設定画面で設定された用紙属性を有効にして当該トレイの用紙属性設定を確定する（Ｓ１０６）。
そして、該当トレイの使用不可状態を解除し（Ｓ１０７）、ジョブを継続する。
【００４４】
当該トレイが、トレイを開閉した際、ジョブが用紙切れで停止したときの用紙切れの対象トレイではなかった場合（Ｓ１０２；Ｎｏ）、該当するトレイを使用不可状態に設定して（Ｓ１０３）、操作情報部６０は、制御部６１が表示部６４にて当該トレイへの用紙属性設定を促す表示を、例えばポップアップ画面により行う（Ｓ１０４）。
【００４５】
次に、Ｓ１０４で表示された用紙属性設定画面による用紙属性設定入力があったか否かを判断し（Ｓ１０５）、用紙属性設定入力があった場合（Ｓ１０５；Ｙｅｓ）、用紙属性設定画面で設定された用紙属性を有効にして当該トレイの用紙属性設定を確定する（Ｓ１０６）。
【００４６】
その後、Ｓ１０３で設定された該当トレイの使用不可状態を解除し（Ｓ１０７）、この処理を終了する。
【００４７】
このような処理により、トレイを開閉した際、ジョブが用紙切れで停止したときの用紙切れの対象トレイであった場合は、そのトレイを用紙補給の目的で開くことになるため、トレイの閉操作が行われたときに、当該トレイの用紙属性情報をそのまま確定して（有効にして）、ジョブを継続する。
その結果、使用者の操作の手間を削減し、かつ、印刷ジョブにおける停止時間を低減することができる。
【００４８】
「第２実施形態」
以下、トレイを開閉した際、ジョブが用紙切れで停止していた場合に、該当トレイの用紙属性情報を確定する画像形成装置１Ａの用紙確定方法について図５のフローチャートを参照しながら説明する。
【００４９】
システム制御部１１は、まず、用紙送り装置２０、３０、４０のトレイ１〜６のいずれかでトレイの開閉があったか否かを判断する（Ｓ２０１）。
【００５０】
ここで、トレイ１〜６のいずれも開閉されていない場合（Ｓ２０１；Ｎｏ）は、Ｓ２０１に戻るが、トレイ１〜６のいずれかが開閉されていたと判断された場合（Ｓ２０１；Ｙｅｓ）、トレイを開閉した際、ジョブが用紙切れで停止したときの用紙切れの対象トレイであり、かつ、当該トレイの用紙属性情報がジョブで使用する用紙属性情報と一致しているか否かを判断する（Ｓ２０２）。
【００５１】
その結果、当該トレイが、トレイを開閉した際、ジョブが用紙切れで停止したときの用紙切れの対象トレイであり、かつ、当該トレイの用紙属性情報がジョブで使用する用紙属性情報と一致している場合（Ｓ２０２；Ｙｅｓ）、用紙属性設定画面で設定された用紙属性を有効にして当該トレイの用紙属性設定を確定する（Ｓ２０６）。
そして、該当トレイの使用不可状態を解除し（Ｓ２０７）、ジョブを継続する。
【００５２】
当該トレイが、トレイを開閉した際、ジョブが用紙切れで停止したときの用紙切れの対象トレイではあっても、当該トレイの用紙属性情報がジョブで使用する用紙属性情報と一致していなかった場合（Ｓ２０２；Ｎｏ）、該当するトレイを使用不可状態に設定して（Ｓ２０３）、操作情報部６０は、制御部６１が表示部６４にて当該トレイへの用紙属性設定を促す表示を、例えばポップアップ画面により行う（Ｓ２０４）。
【００５３】
次に、Ｓ２０４で表示された用紙属性設定画面による用紙属性設定入力があったか否かを判断し（Ｓ２０５）、用紙属性設定入力があった場合（Ｓ２０５；Ｙｅｓ）、用紙属性設定画面で設定された用紙属性を有効にして当該トレイの用紙属性設定を確定する（Ｓ２０６）。
【００５４】
その後、Ｓ２０３で設定された該当トレイの使用不可状態を解除し（Ｓ２０７）、この処理を終了する。
【００５５】
このような処理により、トレイを開閉した際、ジョブが用紙切れで停止したときの用紙切れの対象トレイであって、かつ、当該トレイの用紙属性情報がジョブで使用する用紙属性情報と一致している場合は、トレイの閉操作が行われたときに、当該トレイの用紙属性情報をそのまま確定して（有効にして）、ジョブを継続する。
その結果、ジョブで使用する用紙が複数存在し、一方のトレイから用紙を供給してジョブを処理している最中に、使用者が他のトレイを操作して用紙交換を行った場合であっても、用紙属性情報の一致性を向上させながら、使用者の操作の手間を削減し、かつ、印刷ジョブにおける停止時間を低減することができる。
【００５６】
「第３実施形態」
以下、トレイを開閉した際、該当トレイに関連したエラー状態で停止していた場合に、該当トレイの用紙属性情報を確定する画像形成装置１Ｂの用紙確定方法について図６のフローチャートを参照しながら説明する。
【００５７】
システム制御部１１は、まず、用紙送り装置２０、３０、４０のトレイ１〜６のいずれかでトレイの開閉があったか否かを判断する（Ｓ３０１）。
【００５８】
ここで、トレイ１〜６のいずれも開閉されていない場合（Ｓ３０１；Ｎｏ）は、Ｓ３０１に戻るが、トレイ１〜６のいずれかが開閉されていたと判断された場合（Ｓ３０１；Ｙｅｓ）、トレイを開閉した際、該当トレイに関連したエラー状態で停止していたか否かを判断する（Ｓ３０２）。該当トレイに関連したエラー状態とは、例えば、ミスフィードジャムで用紙ジャム状態となっている場合が該当する。
【００５９】
その結果、当該トレイが、トレイを開閉した際、該当トレイに関連したエラー状態で停止していた場合（Ｓ３０２；Ｙｅｓ）、用紙属性設定画面で設定された用紙属性を有効にして当該トレイの用紙属性設定を確定する（Ｓ３０６）。
そして、該当トレイの使用不可状態を解除し（Ｓ３０７）、ジョブを継続する。
【００６０】
当該トレイが、トレイを開閉した際、該当トレイに関連したエラー状態で停止していなかった場合（Ｓ３０２；Ｎｏ）、該当するトレイを使用不可状態に設定して（Ｓ３０３）、操作情報部６０は、制御部６１が表示部６４にて当該トレイへの用紙属性設定を促す表示を、例えばポップアップ画面により行う（Ｓ３０４）。
【００６１】
次に、Ｓ３０４で表示された用紙属性設定画面による用紙属性設定入力があったか否かを判断し（Ｓ３０５）、用紙属性設定入力があった場合（Ｓ３０５；Ｙｅｓ）、用紙属性設定画面で設定された用紙属性を有効にして当該トレイの用紙属性設定を確定する（Ｓ３０６）。
【００６２】
その後、Ｓ３０３で設定された該当トレイの使用不可状態を解除し（Ｓ３０７）、この処理を終了する。
【００６３】
このような処理により、該当トレイに関連したエラー状態で停止していた場合、使用者はエラー状態を解消するためにトレイの開操作を行うため、トレイの閉操作が行われたときに、当該トレイの用紙属性情報をそのまま確定して（有効にして）、ジョブを継続する。
その結果、使用者の操作の手間を削減し、かつ、印刷ジョブにおける停止時間を低減することができる。
【００６４】
「第４実施形態」
以下、トレイを開閉した際、該当トレイの用紙が取り除かれたことを検知しなかった場合に、該当トレイの用紙属性情報を確定する画像形成装置１Ｃの用紙確定方法について図７のフローチャートを参照しながら説明する。
【００６５】
システム制御部１１は、まず、用紙送り装置２０、３０、４０のトレイ１〜６のいずれかでトレイの開閉があったか否かを判断する（Ｓ４０１）。
【００６６】
ここで、トレイ１〜６のいずれも開閉されていない場合（Ｓ４０１；Ｎｏ）は、Ｓ４０１に戻るが、トレイ１〜６のいずれかが開閉されていたと判断された場合（Ｓ４０１；Ｙｅｓ）、トレイの閉操作又は用紙無しが検知されたか否かを判断する（Ｓ４０２）。
ここで、トレイの閉操作又は用紙無しが検知されなかった場合（Ｓ４０２；Ｎｏ）は、Ｓ４０１に戻るが、トレイの閉操作又は用紙無しが検知された場合（Ｓ４０２；Ｙｅｓ）、更に、当該トレイにおいて、用紙無しが検知されたか否かを判断する（Ｓ４０３）。
【００６７】
その結果、当該トレイにおいて用紙無しが検知されなかった場合（Ｓ４０３；Ｎｏ）、用紙属性設定画面で設定された用紙属性を有効にして当該トレイの用紙属性設定を確定する（Ｓ４０７）。
そして、該当トレイの使用不可状態を解除し（Ｓ４０８）、ジョブを継続する。
【００６８】
当該トレイにおいて用紙無しが検知された場合（Ｓ４０３；Ｙｅｓ）、該当するトレイを使用不可状態に設定して（Ｓ４０４）、操作情報部６０は、制御部６１が表示部６４にて当該トレイへの用紙属性設定を促す表示を、例えばポップアップ画面により行う（Ｓ４０５）。
【００６９】
次に、Ｓ４０５で表示された用紙属性設定画面による用紙属性設定入力があったか否かを判断し（Ｓ４０６）、用紙属性設定入力があった場合（Ｓ４０６；Ｙｅｓ）、用紙属性設定画面で設定された用紙属性を有効にして当該トレイの用紙属性設定を確定する（Ｓ４０７）。
【００７０】
その後、Ｓ４０４で設定された該当トレイの使用不可状態を解除し（Ｓ４０８）、この処理を終了する。
【００７１】
このような処理により、該当トレイが開いている状態で、用紙の有無を検知して、用紙が一旦取り除かれていないことが明らかな場合は、当該トレイの用紙属性情報をそのまま確定して（有効にして）、ジョブを継続する。
その結果、使用者の操作の手間を削減し、かつ、印刷ジョブにおける停止時間を低減することができる。
【００７２】
「第５実施形態」
以下、用紙属性設定の確認を促す表示が使用者の選択によりなされ、トレイを開閉した際、当該トレイがジョブが用紙切れで停止したときの用紙切れの対象トレイであった場合に、該当トレイの用紙属性情報を確定する画像形成装置１Ｄの用紙確定方法について図８のフローチャートを参照しながら説明する。
【００７３】
システム制御部１１は、まず、用紙送り装置２０、３０、４０のトレイ１〜６のいずれかでトレイの開閉があったか否かを判断する（Ｓ５０１）。
【００７４】
ここで、トレイ１〜６のいずれも開閉されていない場合（Ｓ５０１；Ｎｏ）は、Ｓ５０１に戻るが、トレイ１〜６のいずれかが開閉されていたと判断された場合（Ｓ５０１；Ｙｅｓ）、用紙属性設定の確認を促す表示が使用者の選択によりなされる設定か否かを判断する（Ｓ５０２）。
【００７５】
その結果、用紙属性設定の確認を促す表示が使用者の選択によりなされる設定でない場合（Ｓ５０２；Ｎｏ）、用紙属性設定画面で設定された用紙属性を有効にして当該トレイの用紙属性設定を確定する（Ｓ５０７）。
そして、該当トレイの使用不可状態を解除し（Ｓ５０８）、ジョブを継続する。
【００７６】
使用者の選択により、用紙属性設定の確認を促す表示がなされる設定である場合（Ｓ５０２；Ｙｅｓ）、ジョブが用紙切れで停止したときの用紙切れの対象トレイであったか否かを判断する（Ｓ５０３）。その結果、当該トレイがジョブが用紙切れで停止したときの用紙切れの対象トレイであった場合（Ｓ５０３；Ｙｅｓ）、用紙属性設定画面で設定された用紙属性を有効にして当該トレイの用紙属性設定を確定する（Ｓ５０７）。
そして、該当トレイの使用不可状態を解除し（Ｓ５０８）、ジョブを継続する。
【００７７】
当該トレイがジョブが用紙切れで停止したときの用紙切れの対象トレイでなかった場合（Ｓ５０３；Ｎｏ）、該当するトレイを使用不可状態に設定して（Ｓ５０４）、操作情報部６０は、制御部６１が表示部６４にて当該トレイへの用紙属性設定を促す表示を、例えばポップアップ画面により行う（Ｓ５０５）。
【００７８】
次に、Ｓ５０５で表示された用紙属性設定画面による用紙属性設定入力があったか否かを判断し（Ｓ５０６）、用紙属性設定入力があった場合（Ｓ５０６；Ｙｅｓ）、用紙属性設定画面で設定された用紙属性を有効にして当該トレイの用紙属性設定を確定する（Ｓ５０７）。
【００７９】
その後、Ｓ５０４で設定された該当トレイの使用不可状態を解除し（Ｓ５０８）、この処理を終了する。
【００８０】
このような処理により、トレイを開閉した際、用紙属性設定の確認を促す表示を行うか否かを使用者が選択により設定することができる場合には、その設定の有無を確認し、用紙属性設定の確認を促す表示を行わない設定になっている場合には、トレイの閉操作が行われたときに、当該トレイの用紙属性情報をそのまま確定して（有効にして）、ジョブを継続する。
また、用紙属性設定の確認を促す表示を行う設定になっている場合であっても、ジョブが用紙切れで停止したときの用紙切れの対象トレイであった場合は、そのトレイを用紙補給の目的で開くことになるため、トレイの閉操作が行われたときに、当該トレイの用紙属性情報をそのまま確定して（有効にして）、ジョブを継続する。
その結果、使用者の操作の手間を削減し、かつ、印刷ジョブにおける停止時間を低減することができる。
【００８１】
「第６実施形態」
以下、用紙属性設定の確認を促す表示が使用者の選択によりなされ、トレイを開閉した際、該当トレイの用紙が取り除かれたことを検知しなかった場合に、該当トレイの用紙属性情報を確定する画像形成装置１Ｅの用紙確定方法について図９のフローチャートを参照しながら説明する。
【００８２】
システム制御部１１は、まず、用紙送り装置２０、３０、４０のトレイ１〜６のいずれかでトレイの開閉があったか否かを判断する（Ｓ６０１）。
【００８３】
ここで、トレイ１〜６のいずれも開閉されていない場合（Ｓ６０１；Ｎｏ）は、Ｓ６０１に戻るが、トレイ１〜６のいずれかが開閉されていたと判断された場合（Ｓ６０１；Ｙｅｓ）、トレイの閉操作又は用紙無しが検知されたか否かを判断する（Ｓ６０２）。
ここで、トレイの閉操作又は用紙無しが検知されなかった場合（Ｓ６０２；Ｎｏ）は、Ｓ６０１に戻るが、トレイの閉操作又は用紙無しが検知された場合（Ｓ６０２；Ｙｅｓ）、用紙属性設定の確認を促す表示が使用者の選択によりなされる設定か否かを判断する（Ｓ６０３）。
【００８４】
その結果、用紙属性設定の確認を促す表示が使用者の選択によりなされる設定でない場合（Ｓ６０３；Ｎｏ）、用紙属性設定画面で設定された用紙属性を有効にして当該トレイの用紙属性設定を確定する（Ｓ６０８）。
そして、該当トレイの使用不可状態を解除し（Ｓ６０９）、ジョブを継続する。
【００８５】
使用者の選択により、用紙属性設定の確認を促す表示がなされる設定である場合（Ｓ６０３；Ｙｅｓ）、当該トレイにおいて、用紙無しが検知されたか否かを判断する（Ｓ６０４）。
その結果、当該トレイにおいて用紙無しが検知されなかった場合（Ｓ６０４；Ｎｏ）、用紙属性設定画面で設定された用紙属性を有効にして当該トレイの用紙属性設定を確定する（Ｓ６０８）。
そして、該当トレイの使用不可状態を解除し（Ｓ６０９）、ジョブを継続する。
【００８６】
当該トレイにおいて用紙無しが検知された場合（Ｓ６０４；Ｙｅｓ）、該当するトレイを使用不可状態に設定して（Ｓ６０５）、操作情報部６０は、制御部６１が表示部６４にて当該トレイへの用紙属性設定を促す表示を、例えばポップアップ画面により行う（Ｓ６０６）。
【００８７】
次に、Ｓ６０６で表示された用紙属性設定画面による用紙属性設定入力があったか否かを判断し（Ｓ６０７）、用紙属性設定入力があった場合（Ｓ６０７；Ｙｅｓ）、用紙属性設定画面で設定された用紙属性を有効にして当該トレイの用紙属性設定を確定する（Ｓ６０８）。
【００８８】
その後、Ｓ６０５で設定された該当トレイの使用不可状態を解除し（Ｓ６０９）、この処理を終了する。
【００８９】
このような処理により、トレイを開閉した際、用紙属性設定の確認を促す表示を行うか否かを使用者が選択により設定することができる場合には、その設定の有無を確認し、用紙属性設定の確認を促す表示を行わない設定になっている場合には、トレイの閉操作が行われたときに、当該トレイの用紙属性情報をそのまま確定して（有効にして）、ジョブを継続する。
また、用紙属性設定の確認を促す表示を行う設定になっている場合であっても、該当トレイが開いている状態で、用紙の有無を検知して、用紙が一旦取り除かれていないことが明らかな場合は、当該トレイの用紙属性情報をそのまま確定して（有効にして）、ジョブを継続する。
その結果、使用者の操作の手間を削減し、かつ、印刷ジョブにおける停止時間を低減することができる。
【００９０】
以上、本発明に係る実施形態を詳述したが、本発明は、上記実施形態に限定されるものではなく、特許請求の範囲に記載された本発明の要旨の範囲内で、種々の変更を行うことが可能である。
【００９１】
例えば、本実施形態では画像形成装置１、１Ａ、１Ｂ、１Ｃ、１Ｄ、１Ｅはプリンタとして説明しているが、原稿の読み取り機能を備えた複写機であっても良い。
【符号の説明】
【００９２】
１、１Ａ、１Ｂ、１Ｃ、１Ｄ、１Ｅ、１００・・・画像形成装置
１０・・・画像形成部
１１・・・システム制御部
１２・・・画像入力部
１３・・・画像処理部
１４・・・画像記憶部
１５・・・画像出力部
１６・・・後処理装置制御部
１７・・・電源制御部
７１・・・用紙搬送部（画像形成部）
２０、３０、４０・・・用紙送り装置
２１、３１、４１・・・制御部（用紙送り装置）
２２、３２、４２・・・トレイ制御部（用紙送り装置）
７２、７３、７４・・・用紙搬送部（用紙送り装置）
５０・・・排紙部
６０・・・操作情報部
６１・・・制御部
６２・・・操作入力部
６３・・・記憶部
６４・・・表示部
６５・・・入出力部
８０・・・通信ケーブル
８１・・・通信ネットワーク
８２・・・ホストコンピュータ
【図１】
2014018976.tif 000003
【図２】
2014018976.tif 000004
【図３】
2014018976.tif 000005
【図４】
2014018976.tif 000006
【図５】
2014018976.tif 000007
【図６】
2014018976.tif 000008
【図７】
2014018976.tif 000009
【図８】
2014018976.tif 000010
【図９】
2014018976.tif 000011
【図１０】
2014018976.tif 000012